(57)【要約】  【課題】  グループに属するコンテナに関する試験を行う際に、試験者の負担を軽減して試験を簡易にすることができるＳＤＨ／ＳＯＮＥＴ通信機器試験装置を提供すること。  【解決手段】  グループに属するコンテナを含むフレームを通信機器から受信する通信部１１と、通信部１１によって受信されたフレームに基づいて前記グループに属するコンテナの構成を解析する解析部１２と、解析部１２が解析したグループに属するコンテナの構成を表示させる表示部１３と、表示部１３によって表示されたグループのうち１つのグループを試験者に選択させるための操作部１４と、操作部１４を用いて選択されたグループおよび該グループに属するコンテナを測定する試験部１５とを備えて構成する。【選択図】  図１
2005347830.tif 000002
【特許請求の範囲】
【請求項１】
グループに属するコンテナを含むフレームを通信機器から受信する通信部１１と、
前記通信部１１によって受信されたフレームに基づいて前記グループに属するコンテナの構成を解析する解析部１２と、
前記解析部１２が解析したグループに属するコンテナの構成を表示させる表示部１３と、
前記表示部１３によって表示されたグループのうち１つのグループを試験者に選択させるための操作部１４と、
前記操作部１４を用いて選択されたグループおよび該グループに属するコンテナを測定する試験部１５とを備えたことを特徴とするＳＤＨ／ＳＯＮＥＴ通信機器試験装置。
【請求項２】
前記表示部１３には、フレーム内にコンテナを収容するときの位置を表す収容位置が予め表示され、前記操作部１４を用いて前記１つのグループが選択されたとき、選択されたグループに属するコンテナに該当する前記収容位置の箇所を特定のマークで記して表示することを特徴とする請求項１に記載のＳＤＨ／ＳＯＮＥＴ通信機器試験装置。
【請求項３】
前記操作部１４を用いて前記１つのグループが選択されたとき、選択されたグループ以外のコンテナに該当する前記収容位置の箇所を特定のマークで記して表示することを特徴とする請求項２に記載のＳＤＨ／ＳＯＮＥＴ通信機器試験装置。
【請求項４】
前記操作部１４を用いて前記１つのグループが選択されたとき、何れのグループに属さないコンテナに該当する前記収容位置の箇所を特定のマークで記して表示することを特徴とする請求項２または請求項３に記載のＳＤＨ／ＳＯＮＥＴ通信機器試験装置。
【請求項５】
前記収容位置は、表形式で表示されることを特徴とする請求項２から請求項４までの何れかに記載のＳＤＨ／ＳＯＮＥＴ通信機器試験装置。
【請求項６】
選択されたグループに属するコンテナに該当する前記収容位置の箇所には、コンテナのシーケンス番号が表示されることを特徴とする請求項２から請求項５までの何れかに記載のＳＤＨ／ＳＯＮＥＴ通信機器試験装置。
【発明の詳細な説明】
【技術分野】
【０００１】
本発明は、通信機器との間で送受信されるデータを監視および試験するための通信機器試験装置に関する。
【背景技術】
【０００２】
従来の通信機器試験装置としては、ＳＤＨ（Synchronous Digital Hierarchy）やＳＯＮＥＴ（Synchronous Optical Network）に準拠した通信機器が送受信するデータを監視および試験する通信機器試験装置が知られている（例えば特許文献１参照。）。ところで近年、ＳＤＨやＳＯＮＥＴなどの多重化伝送技術が改良された結果、ＶＣＡＴ（Virtual ConcATenation）、ＬＣＡＳ（Link Capacity Adjustment Scheme）などの技術が標準化されている。なお、ＶＣＡＴは、ＩＴＵ−Ｔ勧告Ｇ．７０７で標準化されており、ＬＣＡＳは、ＩＴＵ−Ｔ勧告Ｇ．７０４２で標準化されている。以下、ＶＣＡＴについて簡単に説明する。
【０００３】
ＶＣＡＴでは、コンテナにＰＯＨ（Path OverHead）が付加されたヴァーチャルコンテナ（ＶＣ：Virtual Container）からなるグループをペイロードとする。以下、ＶＣによって構成されるグループは、ＶＣＧ（Virtual Concatenation Group）と呼ばれる。ここで、図５に標準化された各ペイロードの容量の一覧を示す。
【０００４】
図５に示すように、ＶＣＧの表記法としては、「ＶＣ１１−Ｘｖ」のように、ＶＣのタイプおよびＶＣＧを構成するＶＣの個数で記すのが一般的である。例えば、１つのグループにＶＣ１１が２つあれば、ＶＣ１１−２ｖと記す。図５に示したＶＣタイプの欄では、ＳＯＮＥＴおよびＳＤＨにおけるペイロード容量が同一となるＶＣのタイプを同一の行に記載している。図５に示したペイロード容量の欄では、ＶＣＧにおけるペイロード容量を示しており、ペイロード容量はＶＣの個数に応じて決まる。例えば、ＶＣ１１−１ｖであれば、ＶＣ１１−１ｖのペイロード容量が１６００Ｋｂｉｔ／秒、ＶＣ１１−６４ｖであれば、ＶＣ１１−６４ｖのペイロード容量が１０２４００Ｋｂｉｔ／秒となる。
【０００５】
また、ＬＣＡＳは、通信機器と他の通信機器とが通信している最中にＶＣＧを構成するＶＣの追加または削除をフレキシブルに行う技術である。ＶＣＡＴおよびＬＣＡＳは、ギガビットイーサネット（登録商標）などに準拠したデータ転送を効率的に実現することを目的としている。
【特許文献１】特開２００１−１２７７２９号公報
【発明の開示】
【発明が解決しようとする課題】
【０００６】
しかしながら、従来の通信機器試験装置がＶＣＡＴを実装した通信機器が送受信するデータを監視および試験するためには、試験者が、通信機器から送信されたデータに基づいてＶＣＧに属するＶＣの構成を事前に解析し、解析したＶＣの構成に関する情報を従来の通信機器試験装置に登録し、通信機器試験装置に登録された情報と関連するＶＣを監視および試験を行っていた。このように、従来の通信機器試験装置では、試験者がＶＣＧに属するＶＣの構成を事前に解析したり、解析したＶＣの構成に関する情報を通信機器試験装置に登録する手間が必要となるため、試験者にとって大変な負担であり、通信試験を複雑なものにしていたという問題があった。
【０００７】
本発明は、従来の問題を解決するためになされたもので、グループに属するコンテナに関する試験を行う際に、試験者の負担を軽減して試験を簡易にすることができる通信機器試験装置を提供することを目的とする。
【課題を解決するための手段】
【０００８】
本発明のＳＤＨ／ＳＯＮＥＴ通信機器試験装置は、グループに属するコンテナを含むフレームを通信機器から受信する通信部１１と、前記通信部１１によって受信されたフレームに基づいて前記グループに属するコンテナの構成を解析する解析部１２と、前記解析部１２が解析したグループに属するコンテナの構成を表示させる表示部１３と、前記表示部１３によって表示されたグループのうち１つのグループを試験者に選択させるための操作部１４と、前記操作部１４を用いて選択されたグループおよび該グループに属するコンテナを測定する試験部１５とを備えた構成を有している。
【０００９】
この構成により、解析したグループに属するコンテナの構成を表示させ、表示されたグループのうち１つのグループを試験者に選択させ、選択されたグループに属するコンテナに関する監視を行うため、グループに属するコンテナに関する試験を行う際に、試験者の負担を軽減して試験を簡易にすることができる。
【００１０】
また、本発明のＳＤＨ／ＳＯＮＥＴ通信機器試験装置は、前記表示部１３に、フレーム内にコンテナを収容するときの位置を表す収容位置が予め表示され、前記操作部１４を用いて前記１つのグループが選択されたとき、選択されたグループに属するコンテナに該当する前記収容位置の箇所を特定のマークで記して表示する構成を有している。
【００１１】
この構成により、収容位置が予め表示され、１つのグループが選択されたとき、選択されたグループに属するコンテナに該当する収容位置の箇所を特定のマークで記して表示するため、コンテナの構成を試験者にとって判り易く表示することができる。
【００１２】
また、本発明のＳＤＨ／ＳＯＮＥＴ通信機器試験装置は、前記操作部１４を用いて前記１つのグループが選択されたとき、選択されたグループ以外のコンテナに該当する前記収容位置の箇所を特定のマークで記して表示する構成を有している。
【００１３】
この構成により、収容位置が予め表示され、１つのグループが選択されたとき、選択されたグループ以外のコンテナに該当する収容位置の箇所を特定のマークで記して表示するため、ＶＣの構成を試験者にとって判り易く表示することができる。
【００１４】
また、本発明のＳＤＨ／ＳＯＮＥＴ通信機器試験装置は、前記操作部１４を用いて前記１つのグループが選択されたとき、何れのグループに属さないコンテナに該当する前記収容位置の箇所を特定のマークで記して表示する構成を有している。
【００１５】
この構成により、収容位置が予め表示され、１つのグループが選択されたとき、何れのグループに属さないコンテナに該当する収容位置の箇所を特定のマークで記して表示するため、ＶＣの構成を試験者にとって判り易く表示することができる。
【００１６】
また、本発明のＳＤＨ／ＳＯＮＥＴ通信機器試験装置は、前記収容位置が表形式で表示される構成を有している。
【００１７】
この構成により、収容位置が表形式で表示されるため、選択されたグループに属するコンテナの構成を試験者にとってさらに判り易く表示することができる。
【００１８】
また、本発明のＳＤＨ／ＳＯＮＥＴ通信機器試験装置は、選択されたグループに属するコンテナに該当する前記収容位置の箇所には、コンテナのシーケンス番号が表示される構成を有している。
【００１９】
この構成により、コンテナに該当する収容位置の箇所にシーケンス番号が表示されるため、選択されたグループに属するコンテナの構成を試験者にとってさらに判り易く表示することができる。
【発明の効果】
【００２０】
本発明は、グループに属するコンテナに関する試験を行う際に、試験者の負担を軽減して試験を簡易にすることができる通信機器試験装置を提供することができるものである。
【発明を実施するための最良の形態】
【００２１】
以下、本発明の実施の形態に係る通信機器試験装置について、図面を用いて説明する。
【００２２】
本発明の実施の形態に係る通信機器試験装置の装置構成図を図１に示す。図１に示したように、通信機器試験装置１０は、通信部１１、解析部１２、表示部１３、操作部１４、試験部１５、および制御部１６によって構成される。通信機器試験装置１０は、通信機器９が送信するデータを監視、測定および試験するようになっている。
【００２３】
通信部１１は、通信インタフェースなどのハードウエアで構成され、ＳＤＨやＳＯＮＥＴなどの多重化伝送技術に従ってデータの送受信を行うようになっている。また、通信部１１は、光インタフェースまたは電気インタフェースで構成するようにしてもよい。本発明の実施の形態において、通信部１１は、ＶＣＡＴに準拠したデータの送受信を行い、ＶＣＧに属するＶＣを含むフレームを通信機器９から受信し、受信したフレームを解析部１２に出力するようになっている。
【００２４】
なお、通信部１１は、受信したフレームを解析部１２に出力すると共に図示しない他の通信機器に転送することもできる。例えば、通信機器９と図示しない通信機器との間で送受信されるデータを確認したい場合、通信部１１は、受信したフレームを解析部１２に出力すると共に図示しない通信機器に転送する。
【００２５】
解析部１２は、集積回路などのハードウエアで構成され、通信部１１によって出力されたフレームに基づいてＶＣＧに属するＶＣの構成を解析するようになっている。例えば、解析部１２は、ＩＴＵ−Ｔ勧告Ｇ．７０７およびＩＴＵ−Ｔ勧告Ｇ．７０４２に準拠した解析方法を用いて、フレームに含まれるＰＯＨなどからＶＣＧに属するＶＣの構成を解析するようにしてもよい。
【００２６】
表示部１３は、ＴＦＴ（Thin Film Transistor）液晶などによって構成され、解析部１２が解析したＶＣＧに属するＶＣの構成を液晶画面などに表示させるようになっている。なお、解析部１２が解析したＶＣＧをウィンドウ形式で表示したイメージを図４に示す。図４に示すように、ウィンドウ４０内のＶＣＧ表示部分４１にＶＣ３−７ｖとなるＶＣＧが表されている。なお、ＶＣＧを構成するＶＣは、メンバーと呼ばれる。図４に関する詳細な説明は後述する。
【００２７】
操作部１４は、キーボードなどの入力機器によって構成され、表示部１３によって表示されたＶＣＧのうち１つのＶＣＧを試験者に選択させるためのものである。試験部１５は、集積回路などのハードウエアで構成され、操作部１４を用いて選択された１つのＶＣＧに属するＶＣに関する試験を行い、かつ選択されたＶＣＧに属するＶＣの監視を行うようになっている。制御部１６は、ＣＰＵ（Central Processing Unit）などによって構成され、通信機器試験装置１０に関する動作を制御するようになっている。
【００２８】
以上のように構成された本発明の実施の形態に係る通信機器試験装置において、本発明の実施の形態に係る通信機器試験装置の動作について、図面を用いて以下に説明する。
【００２９】
図２は、本発明の実施の形態に係る通信機器試験装置の動作について説明するためのフローチャートである。
【００３０】
まず、ＶＣＧに属するＶＣの構成を解析するために必要なパラメータが、制御部１６を介して解析部１２に登録される（ステップＳ１）。例えば、図３に示すように試験者は、パラメータを入力するためのウィンドウ３０を予め表示部１３の画面に表示させておき、操作部１４を操作して、ＶＣＧを構成するＶＣの種別を入力するための入力部３１、および管理ユニット（ＡＵ：Administrative Unit）の種別を入力するための入力部３２に所望のパラメータを入力することにより、入力されたパラメータが制御部１６を介して解析部１２に登録される。
【００３１】
操作部１４を操作して解析ボタン３４をクリックした後、通信部１１がＶＣＧに属するＶＣを含むフレームを受信したとき（ステップＳ２）、解析部１２は、受信されたフレームおよびウィンドウ３０を介して登録されたパラメータに基づいて、ＶＣＧに属するＶＣの構成が解析される（ステップＳ３）。
【００３２】
制御部１６は、解析部１２が解析したＶＣの構成を表す情報を表示部１３に出力し、表示部１３は、制御部１６によって出力されたＶＣの構成を液晶画面などに表示させる（ステップＳ４）。ここで、ＶＣの構成を液晶画面などにウィンドウで表示したイメージを図４に示す。例えば、ＶＣＧ表示部分４１には、フレームに基づいて解析したＶＣＧの一覧が表示される。１番目のＶＣＧは、ＶＣ３が６つで構成されるグループである。また、フレーム内にＶＣ３を収容するときの位置を表す位置（ＡＵＧの位置．ＡＵ３の位置）として表せば、１番目のＶＣＧは、位置（１．１）から位置（２．３）までの６つのＶＣ３、すなわち、位置（１．１）、位置（１．２）、位置（１．３）、位置（２．１）、位置（２．２）、および位置（２．３）のＶＣ３をメンバーとして有する。なお、各ＶＣに含まれるＰＯＨには、シーケンス番号を表すデータが存在し、シーケンス番号の順番に従ってＶＣが表示される。
【００３３】
また、図４に示すように表示部１３には、収容位置４３がＡＵＧおよびＡＵ３からなる表形式で構成表示部分４２内に予め表示される。操作部１４を用いてＶＣＧ表示部分４１内にある１つのＶＣＧが選択されたとき（ステップＳ５）、表示部１３は、選択されたＶＣＧに属するＶＣに該当する収容位置４３の箇所を試験者に特定のマークで記して表示する。表示部１３で表示する特定のマークは、マーク等を付加表示する他に、該当箇所を色、濃淡、網掛け、反転表示等によって区別したり、逆に、該当箇所以外の部分に色、濃淡、網掛け、反転表示等を行うことによって該当箇所と区別するようにしても良い。
【００３４】
例えば、操作部１４を用いて２番目のＶＣＧ、すなわちＶＣ３−７ｖが選択されたとき、２番目のＶＣＧに属するＶＣ３は、シーケンス番号が０から６までの順番に、位置（１６．１）から位置（１６．３）、位置（５．２）、位置（６．３）、位置（１０．１）、および位置（９．３）のＶＣ３であり、制御部１６は、これらのＶＣ３に該当する収容位置４３の箇所を特定のマーク（図４に記載しているＳｅｌｅｃｔｅｄ  ＶＣＧ）で記して表示部１３に表示させ、表示部１３は、該当する収容位置４３の箇所を表示する。なお、選択されたＶＣＧに属するＶＣに該当する収容位置４３の箇所には、シーケンス番号も表示される。
【００３５】
なお、制御部１６は、選択されたＶＣＧ以外の他のＶＣ（図４に記載しているＯｔｈｅｒ  ＶＣＧ）や何れのＶＣＧに属さないＶＣ（図４に記載しているＵｎｋｎｏｗｎ）を収容位置４３で表現しているように特定のマークで記して表示部１３に表示させることにより、選択されたＶＣＧ以外の他のＶＣや何れのＶＣＧに属さないＶＣを試験者にとって判り易く表示するようにしてもよい。
【００３６】
制御部１６は、操作部１４を用いて選択されたＶＣＧに属するＶＣに関する情報を試験部１５に出力し、試験部１５は、選択されたＶＣＧに属するＶＣに関する監視を行う（ステップＳ６）。例えば、試験部１５は、選択されたＶＣＧに属するＶＣを構成するＰＯＨやペイロード部について監視して解析などを行う。また、試験部１５は、監視しているＰＯＨに含まれるＨ４バイトを編集することにより、ＶＣＧに特定のＶＣを追加または削除する機能をもつＬＣＡＳに関する試験を行うこともできる。
【００３７】
以上説明したように、本発明の実施の形態に係る通信機器試験装置は、解析したＶＣＧに属するＶＣの構成を表示させ、表示されたＶＣＧのうち１つのＶＣＧを試験者に選択させ、選択されたＶＣＧに属するＶＣに関する監視を行うため、ＶＣＧに属するＶＣに関する試験を行う際に、試験者の負担を軽減して試験を簡易にすることができる。
【００３８】
また、収容位置が予め表示され、１つのＶＣＧが選択されたとき、選択されたＶＣＧに属するＶＣに該当する収容位置の箇所を特定のマークで記して表示するため、ＶＣの構成を試験者にとって判り易く表示することができる。また、収容位置は、表形式で表示され、かつ、選択されたＶＣＧに属するＶＣに該当する収容位置４３の箇所には、シーケンス番号も表示されるため、選択されたＶＣＧに属するＶＣの構成を試験者にとってさらに判り易く表示を行うことができる。
【００３９】
さらに、通信機器９と図示しない通信機器との間でＬＣＡＳに準拠した制御信号が送受されてＶＣＧに属するＶＣの増減を伴う試験を行う場合、通信機器試験装置１０を用いれば、ＶＣの増減を容易に確認することができる。
【産業上の利用可能性】
【００４０】
以上のように、本発明に係る通信機器試験装置は、グループに属するコンテナに関する試験を行う際に、試験者の負担を軽減して試験を簡易にすることができるという効果を有し、通信機器との間で送受信されるデータを監視および試験するための通信機器試験装置等として有用である。
【図面の簡単な説明】
【００４１】
【図１】本発明の実施の形態に係る通信機器試験装置の装置構成図
【図２】本発明の実施の形態に係る通信機器試験装置の動作について説明するためのフローチャート
【図３】ＶＣの構成を解析するために必要なパラメータを入力するためのウィンドウを表示したイメージ図
【図４】ＶＣの構成をウィンドウ形式で表示したイメージ図
【図５】標準化された各ペイロードの容量の一覧を示す図
【符号の説明】
【００４２】
９  通信機器
１０  通信機器試験装置
１１  通信部
１２  解析部
１３  表示部
１４  操作部
１５  試験部
１６  制御部
３０、４０  ウィンドウ
３１、３２  入力部
３４  解析ボタン
４１  ＶＣＧ表示部分
４２  構成表示部分
４３  収容位置
【図１】
2005347830.tif 000003
【図２】
2005347830.tif 000004
【図３】
2005347830.tif 000005
【図４】
2005347830.tif 000006
【図５】
2005347830.tif 000007